(57)【要約】【課題】筆記後に迅速に摩擦変色作業に移行でき、しかも、筆記時に円滑な筆記が可能となり、摩擦時に円滑な摩擦変色作業が可能となる熱変色性筆記具を提供する。【解決手段】内部に熱変色性インキを収容し且つ一端に前記熱変色インキが吐出可能なペン先３２を備えた筆記体３を、軸筒２の内部に収容固定する。ペン先３２を軸筒２の前端より前方に突出させる。軸筒２の前端に摩擦体４が出没可能な出没孔９を設ける。軸筒２の内部に摩擦体４を出没孔９より出没させる出没機構５を設ける。軸筒２の外面に出没機構５を作動させる操作部６１を設ける。操作部６１を操作することにより摩擦体４を出没孔９より出没させる。筆記時に、摩擦体４の前端をペン先３２の前端より後方に位置させる。摩擦時に、摩擦体４の前端をペン先３２の前端より前方に位置させ、摩擦体４により熱変色性インキの筆跡を摩擦しその際に生じる摩擦熱で該筆跡が熱変色可能である。【選択図】  図２
2009184279.tif 000002
【特許請求の範囲】
【請求項１】
内部に熱変色性インキを収容し且つ一端に前記熱変色インキが吐出可能なペン先を備えた筆記体を、軸筒の内部に収容固定し、ペン先を軸筒の前端より前方に突出させ、前記軸筒の前端に摩擦体が出没可能な出没孔を設け、前記軸筒の内部に摩擦体を出没孔より出没させる出没機構を設け、前記軸筒の外面に前記出没機構を作動させる操作部を設け、前記操作部を操作することにより摩擦体を出没孔より出没させ、筆記時に、摩擦体の前端をペン先の前端より後方に位置させ、摩擦時に、摩擦体の前端をペン先の前端より前方に位置させ、前記摩擦体により前記熱変色性インキの筆跡を摩擦しその際に生じる摩擦熱で該筆跡が熱変色可能であることを特徴とする熱変色性筆記具。
【請求項２】
前記摩擦体が筆記体の外周面を包囲するよう筒状に形成され、且つ、前記出没孔が筆記体の外周面と軸筒の前端部内周面との間に環状に形成される請求項１記載の熱変色性筆記具。
【請求項３】
筆記時に、前記摩擦体の内周面で筆記体の外周面を支持するとともに前記軸筒の出没孔の内周面で摩擦体の外周面を支持してなる請求項２記載の熱変色性筆記具。
【発明の詳細な説明】
【技術分野】
【０００１】
本発明は、熱変色性筆記具に関する。詳細には、熱変色性インキを内蔵し且つ外面に前記熱変色性インキの筆跡を摩擦熱で熱変色させる摩擦体を備えた熱変色性筆記具に関する。
【背景技術】
【０００２】
従来、熱変色性インキを内蔵した熱変色性筆記具において、特許文献１には、熱変色性インキによる筆跡を摩擦熱で熱変色させるための摩擦体を、軸胴の後端に設ける構成が記載されている。
【０００３】
【特許文献１】特開２００４−１４８７４４号公報
【発明の開示】
【発明が解決しようとする課題】
【０００４】
前記従来の熱変色性筆記具は、摩擦体を軸胴の後端に設ける構成の場合、筆記後、筆跡を摩擦変色する際に、軸胴の把持箇所をペン先側から後端側に反転させ、軸胴を大きく持ち替える必要があり、迅速に摩擦変色作業に移行できない。
【０００５】
本発明は、前記従来の問題点を解決するものであって、筆記後に迅速に摩擦変色作業に移行でき、しかも、筆記時に円滑な筆記が可能となり、摩擦時に円滑な摩擦変色作業が可能となる熱変色性筆記具を提供しようとするものである。尚、本発明で、「前」とは、ペン先側を指し、「後」とは、その反対側を指す
【課題を解決するための手段】
【０００６】
［１］本願の第１の発明は、内部に熱変色性インキを収容し且つ一端に前記熱変色インキが吐出可能なペン先３２を備えた筆記体３を、軸筒２の内部に収容固定し、ペン先３２を軸筒２の前端より前方に突出させ、前記軸筒２の前端に摩擦体４が出没可能な出没孔９を設け、前記軸筒２の内部に摩擦体４を出没孔９より出没させる出没機構５を設け、前記軸筒２の外面に前記出没機構５を作動させる操作部６１を設け、前記操作部６１を操作することにより摩擦体４を出没孔９より出没させ、筆記時に、摩擦体４の前端をペン先３２の前端より後方に位置させ、摩擦時に、摩擦体４の前端をペン先３２の前端より前方に位置させ、前記摩擦体４により前記熱変色性インキの筆跡を摩擦しその際に生じる摩擦熱で該筆跡が熱変色可能であること（請求項１）を要件とする。
【０００７】
前記第１の発明の熱変色性筆記具１は、摩擦時に軸筒２前端の出没孔９より突出する摩擦体４を使用できるため、筆記後に軸筒２を大きく持ち替えることが不要となり、迅速に摩擦変色作業に移行できる。また、前記第１の発明の熱変色性筆記具１は、筆記時に摩擦体４の前端がペン先３２前端より後方に位置してなることにより、筆記時に摩擦体４が紙面等の被筆記面に接触することを回避でき、円滑な筆記が可能となる。また、前記第１の発明の熱変色性筆記具１は、摩擦時（即ち摩擦変色作業時）に摩擦体４の前端がペン先３２前端より前方に位置してなることにより、摩擦時にペン先３２が被筆記面に接触することを回避でき、円滑な摩擦変色作業が可能となる。
【０００８】
前記第１の発明の熱変色性筆記具１において、前記軸筒２内には、操作部６１の操作により摩擦体４を出没孔９より出没させる出没機構５が設けられる。前記操作部６１は、軸筒２の外面（即ち軸筒２の後端外面や軸筒２の側壁外面）に設けられる。本発明の出没機構５は、例えば、軸筒２の外面に設けた操作部６１を回転させることにより摩擦体４を出没させる構成（いわゆる回転式）、前記操作部６１を軸筒２の後端部に設け、前記操作部６１を前方に押圧操作することにより、摩擦体４を没入状態から突出状態にする構成（いわゆる後端ノック式）、前記操作部６１を軸筒２側壁より径方向外方に突出させ、前記操作部６１を前方に押圧操作することにより、摩擦体４を出没させる構成（いわゆるサイドスライド式）、または、前記操作部６１を軸筒２側壁より径方向外方に突出させ、前記操作部６１を径方向内方に押圧操作することにより、摩擦体４を出没させる構成（いわゆるサイドノック式）、等を採用することができる。
【０００９】
［２］本願の第２の発明は、前記第１の発明において、前記摩擦体４が筆記体３の外周面を包囲するよう筒状に形成され、且つ、前記出没孔９が筆記体３の外周面と軸筒２の前端部内周面との間に環状に形成されること（請求項２）を要件とする。
【００１０】
前記第２の発明の熱変色性筆記具１は、摩擦体４が、筆記体３の外周面を包囲するよう筒状に形成されたことにより、摩擦体４を用いて摩擦する前に摩擦体４の周方向の向きを確認することが不要となり、迅速に摩擦変色作業を開始することができる。また、前記第２の発明の熱変色性筆記具１は、出没孔９を環状に形成したことにより、筒状の摩擦体４を出没孔９から容易に出没させることができる。
【００１１】
［３］本願の第３の発明は、前記第２の発明において、筆記時に、前記摩擦体４の内周面で筆記体３の外周面を支持するとともに前記軸筒２の出没孔９の内周面で摩擦体４の外周面を支持してなること（請求項３)を要件とする。
【００１２】
前記第３の発明の熱変色性筆記具１は、筆記時に筆記体３のぐらつきを防止できる。特に、前記第３の発明の熱変色性筆記具１では、前記摩擦体４を弾性材料から構成することにより、筆記時、ソフトな筆記感が得られる。
【００１３】
・摩擦体
尚、前記摩擦体４は、軟質材料からなることが好ましい。前記軟質材料は、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦体４を構成する軟質材料は、高摩耗性の弾性材料（例えば、消しゴム等）からなるものよりも、紙面等との摩擦で摩耗屑が殆ど生じない低摩耗性の弾性材料からなるものが有効である。
【００１４】
・ペン先
尚、本発明で、前記ペン先３２は、例えば、ボールペンチップ、繊維束の樹脂加工体、繊維束の熱融着加工体、フェルト加工体、パイプ状ペン体、先端にスリットを有する万年筆型板状ペン体、毛筆ペン体、合成樹脂の多孔質気泡体、軸方向のインキ誘導路を有する合成樹脂の押出成形体等が挙げられる。前記ペン先がボールペンチップの場合、ペン先ボールを前方に付勢し、チップ前端の内向きのカシメ部（前端縁部）内面にボールを圧接させる構成が有効である。
【００１５】
・熱変色性インキ
尚、本発明で、前記熱変色性インキは、可逆熱変色性インキが好ましい。前記可逆熱変色性インキは、発色状態から加熱により消色する加熱消色型、発色状態又は消色状態を互変的に特定温度域で記憶保持する色彩記憶保持型、又は、消色状態から加熱により発色し、発色状態からの冷却により消色状態に復する加熱発色型等、種々のタイプを単独又は併用して構成することができる。
【００１６】
また、前記可逆熱変色性インキに含有される可逆熱変色性マイクロカプセル顔料は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させたものが有効である。
【００１７】
本発明では、図４に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、又は完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図４において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００１８】
前記実質的二相保持温度域は、目的に応じて設定できるが、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができると共に、可逆熱変色性インキによる筆跡を摩擦体による摩擦熱で容易に変色することができる。
【発明の効果】
【００１９】
本発明の熱変色性筆記具は、筆記後に迅速に摩擦変色作業に移行でき、しかも、筆記時に円滑な筆記が可能となり、摩擦時に円滑な摩擦変色作業が可能となる。
【発明を実施するための最良の形態】
【００２０】
本発明の熱変色性筆記具１の実施の形態を図１乃至図３に示す。
本発明の熱変色性筆記具１は、軸筒２と、前記軸筒２内に収容固定される筆記体３と、前記軸筒２の前端より出没する摩擦体４と、前記軸筒２内に設けられ、前記摩擦体４を出没させる出没機構５とからなる。
【００２１】
・筆記体
前記筆記体３は、内部に熱変色性インキが収容されたインキ収容筒３１と、前記インキ収容筒３１の前端に取り付けられ且つ熱変色性インキが吐出可能なペン先３２とからなる。本実施の形態では、前記ペン先３２は、例えば、ボールペンチップ、または繊維加工体よりなるマーキングペン用チップが採用される。前記熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。前記筆記体３は、軸筒２に対して不動状態に構成される。
【００２２】
・摩擦体
前記摩擦体４は、軸方向に内孔が貫設された円筒体から形成される。前記摩擦体４は弾性材料（例えば、シリコーン樹脂、ＳＢＳ樹脂、ＳＥＢＳ樹脂等）からなる。前記摩擦体４は棒状の支持体４１の前端に固定される。前記支持体４１は、合成樹脂または金属からなり、軸方向に内孔が貫設された円筒体からなる。前記支持体４１の後端部外面は、外側カム７の前端開口部内面に固着される。また、前記支持体４１の後端は、円筒状の外側カム７内面の係止壁に係止される。前記摩擦体４の内孔及び前記支持体４１の内孔に、筆記体３が遊挿される。
【００２３】
・軸筒
前記軸筒２は、有底筒状の本体２１と、本体２１の前端部に回転可能に取り付けられる筒状の操作部材６と、前記筒状の操作部材６の前端部に固定される先細円筒状の先部材２２とからなる。
【００２４】
・出没機構
前記出没機構５は、前記筒状の操作部材６と、前記操作部材６の後端部と係合する円筒状の外側カム７と、前記外側カム７と係合され且つ前記軸筒２の本体２１の底壁内面に固定される円筒状の内側カム８とからなる。
【００２５】
・操作部材
前記操作部材６は、円筒状の大径部６１（操作部）と、該大径部６１の後端より後方に連設され且つ軸筒２の本体２１の前端開口部内面に回転可能に挿着される円筒状の小径部６２と、該小径部６２の後端より後方に連設される一対の係合片６３とからなる。前記大径部６１の前端開口部には、先部材２２が固着される。本実施の形態では、前記大径部６１が操作部となる。
【００２６】
・外側カム
前記円筒状の外側カム７の前端部には、一対の切り欠き状の係合溝７１が形成される。前記係合溝７１に操作部材６の係合片６３が係合され、大径部６１の回転に連動して外側カム７が回転する。前記外側カム７の後端部周壁には、軸線に対して傾斜したカム溝７２が形成される。前記外側カム７は、軸筒２の本体２１内に回転可能に収容される。前記外側カム７の内面には、支持体４１の後端が係止可能な係止壁が形成される。前記外側カム７の前端開口部内面には、支持体４１の後端部外面が圧入固着される。
【００２７】
・内側カム
前記円筒状の内側カム８の後端開口部に、軸筒２の本体２１の底壁内面に形成された凸部２１ａが圧入固定される。前記内側カム８は、外側カム７の後端開口部内に挿入される。前記内側カム８の前端開口部内面に、筆記体３の後端部外面が嵌着される。前記内側カム８の周壁外面には、前記カム溝７２に係合可能なカム突起８１が形成される。
【００２８】
・出没孔
前記筆記体３のペン先３２前端は、軸筒２の前端開口部（即ち先部材２２の前端開口部）より前方に常時突出状態に設定される。前記筆記体３の外周面と、前記軸筒２の前端開口部の内周面との間には、環状の出没孔９が形成される。前記出没孔９を通して筒状の摩擦体４が出没可能に構成される。
【００２９】
・筆記時
図１に示すように、筆記時、摩擦体４が出没孔９を通して軸筒２内に没入される。筆記時、前記摩擦体４の前端は、筆記体３のペン先３２前端よりも後方に位置している。また、筆記時、前記摩擦体４の前端は、軸筒２の前端と略一致している。筆記時、前記摩擦体４の内周面で筆記体３の外周面が支持されるとともに前記軸筒２の出没孔９の内周面で摩擦体４の外周面が支持される。それにより、筆記時、筆記体３のぐらつきを防止できる。また、本実施の形態では、摩擦体４を弾性材料から構成することにより、筆記時、ソフトな筆記感が得られる。
【００３０】
尚、これ以外にも、筆記時の摩擦体４の前端は、軸筒２の前端より後方に位置する構成、あるいは、軸筒２の前端より前方に位置（即ち軸筒２の前端とペン先３２前端との間に位置）する構成でもよい。
【００３１】
・摩擦時
図２に示すように、摩擦時、摩擦体４が出没孔９を通して軸筒２内より外部に突出される。摩擦時、前記摩擦体４の前端は、筆記体３のペン先３２前端よりも前方に位置している。
【００３２】
・摩擦体の出没操作
操作部材６の大径部６１（操作部）を軸筒２の本体２１に対して回転させると、操作部材６の係合片６３の回転に連動して外側カム７が回転する。前記外側カム７の傾斜状のカム溝７２に内側カム８のカム突起８１が係合しているため、前記外側カム７が、回転とともに前後に移動する。前記外側カム７の前端開口部に支持体４１の後端部が固着されているため、前記外側カム７の前後の移動に伴い、支持体４１が前後に移動され、それに伴い、摩擦体４が出没孔９より出没する。
【図面の簡単な説明】
【００３３】
【図１】本発明の実施の形態の筆記時の状態を示す縦断面図である。
【図２】本発明の実施の形態の摩擦時の状態を示す縦断面図である。
【図３】本発明の実施の形態の操作部材及び外側カムを示す側面図である。
【図４】熱変色性インキの変色挙動を示す説明図である。
【符号の説明】
【００３４】
１  熱変色性筆記具
２  軸筒
２１  本体
２１ａ  凸部
２２  先部材
３  筆記体
３１  インキ収容筒
３２  ペン先
４  摩擦体
４１  支持体
５  出没機構
６  操作部材
６１  大径部（操作部）
６２  小径部
６３  係合片
７  外側カム
７１  係合溝
７２  カム溝
８  内側カム
８１  カム突起
９  出没孔
【図１】
2009184279.tif 000003
【図２】
2009184279.tif 000004
【図３】
2009184279.tif 000005
【図４】
2009184279.tif 000006